(57)【要約】【課題】初心者でも正しい運弓の練習ができる運弓補助具を提供する。【解決手段】  弦楽器の弓の運弓補助具であって、前記弓のスティックを挟み込むことが可能な断面がＵ字形状の本体を備え、当該本体は、前記サムグリップを両側から挟み込む第１の部位と第２の部位を有し、前記第１の部位における前記スティックに接する側と反対の側の表面には、奏者の親指に対応する凹みを設けてあり、前記第１の部位の凹みの底からスティックの表面までの距離が２ｍｍ〜１０ｍｍであり、前記第２の部位の前記スティックの長さ方向の長さは、３０ｍｍ〜５０ｍｍであり、前記第２の部位における前記スティックに接する側から反対の側の表面までの厚みが、５ｍｍ〜１５ｍｍとした構成としてある。【選択図】図４
2020134923.tif 000002
【特許請求の範囲】
【請求項１】
弦楽器の弓の運弓補助具であって、
前記運弓補助具は、
前記弓のスティックを挟み込むことが可能な断面がＵ字形状の本体を備え、当該本体は、前記スティックを両側から挟み込む第１の部位と第２の部位を有し、
前記第１の部位における前記スティックに接する側と反対の側の表面には、奏者の親指に対応する凹みを設けてあり、
前記第１の部位の凹みの底からスティックの表面までの距離が２ｍｍ〜１０ｍｍであり、前記第２の部位の前記スティックの長さ方向の長さは、３０ｍｍ〜５０ｍｍであり、
前記第２の部位における前記スティックに接する側から反対の側の表面までの厚みが、５ｍｍ〜１５ｍｍであることを特徴とする運弓補助具。
【請求項２】
前記本体は、弾性を有する素材で形成され、前記第１の部位と前記第２の部位とを撓ませて間隔を広げることが可能であることを特徴とする請求項１に記載の運弓補助具。
【請求項３】
前記第１の部位と前記第２の部位を連結し、前記スティックに沿って接するとともに内周面が円筒面状の連結部位を有することを特徴とする請求項１に記載の運弓補助具。
【請求項４】
前記第１の部位の凹みは、奥に向かって徐々に狭くなっていることを特徴とする請求項１に記載の運弓補助具。
【請求項５】
前記第２の部位における前記連結部位に近い部位は、前記スティックに装着したときに前記スティックの長さ方向に沿って中央に近い部分の隆起が高いことを特徴とする請求項３に記載の運弓補助具。
【請求項６】
前記第２の部位は、前記スティックに装着したときに前記スティックの長さ方向に沿って二つの凹みが形成されていることを特徴とする請求項１に記載の運弓補助具。
【請求項７】
前記第２の部位は、前記スティックに装着したときに前記スティックの長さ方向に沿って二つに区画する隆起が中央に形成されていることを特徴とする請求項１に記載の運弓補助具。 
【発明の詳細な説明】
【技術分野】
【０００１】
本発明は、弦楽器の弓の運弓補助具に関し、特に、チェロ弓とコントラバス弓（フランス式）に好適な運弓補助具に関する。
【背景技術】
【０００２】
人の手は、球体をつかむのに適した形状である。例えば、奏者が手のひらを上に向け、各指をリラックスさせると、手のひらにボールを置くのに適した凹みが生じる。この状態であれば、人はボールをしっかりとつかめる。
ボールをチェロ弓やコントラバス弓に置き換えてみると、直線的なスティックに沿って人差し指から小指までを並べて親指とともにスティックを挟み込むことになる。しかし、人差し指から小指までを直線的なスティックに沿わせて並べるのはぎこちない。
【０００３】
さらに、親指は、中指と薬指とでスティックを挟み込む位置に来るのが望ましい。このときに親指の爪の側がスティックの側に向くことになる。演奏の練習を始めた初心者は、親指と中指と薬指とでスティックを挟んだ状態を維持し、人差し指と小指でバランスを取り、かつ、弓をチェロやコントラバスの弦に直交させた状態で演奏し続けるのは難しい。
【０００４】
一方、チェロやコントラバスの演奏を練習する初心者向の運弓補助具として、非特許文献１と非特許文献２に示すものが知られている。
非特許文献１に示すものは、弓におけるスティックとフロッグの連結部分を、全体的に覆う筒状の部材である。スティックとフロッグの連結部分の外形に沿うように形成されたカバーであり、カバー自体の厚みはほぼ一定である。フロッグにおけるヘッド側であって弓毛とスティックとの間の部位には、凹みが形成されている。奏者はこの凹みに親指を当てることで親指の位置がずれなくなる。
【０００５】
非特許文献２に示すものは、弓におけるスティックとフロッグの連結部分を、全体的に覆う点では非特許文献１に示すものと共通している。しかし、全体的に象の形状をモチーフとして非特許文献１に比べて厚みも大きい。また、非特許文献１に示すものと同様に、フロッグにおけるヘッド側であって弓毛とスティックとの間の部位には、象の鼻を丸めて形成した円穴が形成され、奏者はこの円穴に親指を当てることで親指の位置がずれなくなる。
【０００６】
非特許文献１に示す運弓補助具は、奏者の人差し指から小指まで、全ての指が運弓補助具を保持するものである。非特許文献２に示す運弓補助具は、人差し指はスティックに乗るが、中指から小指に掛けて運弓補助具の上に乗る。
【先行技術文献】
【非特許文献】
【０００７】
【非特許文献１】https://stringvision.myshopify.com/products/stringvision-bowgrip
【非特許文献２】https://www.things4strings.com/shop/category/34-for-cello-and-french-bass
【発明の概要】
【発明が解決しようとする課題】
【０００８】
非特許文献１に示す運弓補助具は、人差し指から小指までを直線的なスティックに沿わせて並べることが必要であり、ぎこちなさを生じる課題を解消できない。
非特許文献２に示す運弓補助具は、親指を人差し指と中指の間のあたりに設置し象の鼻から背に沿って親指以外の指を並べる。すると自然と手全体が弓先側に傾く為、弓の先端部を弦に設置する際には適するが、弓元を弦に設置させる時には適さない。弓元を弦に設置させる時は、手全体が自由に弓元方向に傾く必要があるが、すでに象の背の丸みに沿って並べられた指は手全体を弓先方向への傾きに固定している為、弓元が弦に設置されている際の演奏にはぎこちなさを生じる課題を解消できない。
非特許文献１に示すものは、親指の位置は固定されるが、残りの指は親指の位置に対して限定されない為、本来なら中指と薬指の間あたりに親指が設定されるべきなのが、親指以外の指が自由に横滑りできてしまう為、正しい弓の持ち方が難しくなる課題を解消できない。
【０００９】
また、非特許文献２に示す運弓補助具では、人差し指はスティックに触れているものの、常にバランスが弓先側に傾くために、重心位置の変化を調整する練習ができない。
本発明は、上述した従来の課題を解決する。
【課題を解決するための手段】
【００１０】
本発明は、弦楽器の弓の運弓補助具であって、前記運弓補助具は、前記弓のスティックを挟み込むことが可能な断面がＵ字形状の本体を備え、当該本体は、前記サムグリップを両側から挟み込む第１の部位と第２の部位を有し、前記第１の部位における前記スティックに接する側と反対の側の表面には、奏者の親指に対応する凹みを設けてあり、前記第１の部位の凹みの底からスティックの表面までの距離が２ｍｍ〜１０ｍｍであり、前記第２の部位の前記スティックの長さ方向の長さは、３０ｍｍ〜５０ｍｍであり、前記第２の部位における前記スティックに接する側から反対の側の表面までの厚みが、５ｍｍ〜１５ｍｍとした構成としてある。
【００１１】
上記のように構成した本発明の運弓補助具では、前記本体の断面がＵ字形状となっているので、第１の部位と第２の部位で前記弓のスティックのサムグリップを挟み込むことができる。また、前記本体の前記第１の部位における前記スティックに接する側と反対の側の表面には凹みを形成してあるので、奏者の親指の先端をこの凹みにあてることで、親指の位置が安定する。後述するように第１の部位と対となる第２の部位の側には、中指と薬指が位置するので、親指は自ずから中指と薬指の間の位置に保持される。
【００１２】
また、前記第２の部位の前記スティックの長さ方向の長さを３０ｍｍ〜５０ｍｍとしてあるが、この長さは、奏者である人体の中指と薬指を合わせた幅の平均的な長さであり、かつ、人差し指と小指の間の幅の平均的な長さと同程度である。従って、奏者は、中指と薬指を前記第２の部位に乗せた状態とすることができるが、人差し指と小指の間に入る長さなので、人差し指と小指は前記第１の部位に乗らず、直にスティックに触れる状態となる。
【００１３】
前記第２の部位における前記スティックに接する側から反対の側の表面までの厚みが、５ｍｍ〜１５ｍｍとしてあるので、当該表面に奏者である人体の中指と薬指を載せ、中指と薬指を前記スティックに載せたときに、奏者が球を保持する感覚の丸みを持つので、一差し指から小指まで自然なカーブをえがくことになる。
さらに、前記第１の部位の凹みの底からスティックの表面までの距離が２ｍｍ〜１０ｍｍとしてあり、親指の先を前記凹みに入れたとき、親指の先から中指や薬指の裏までの距離は、スティックの直径に加えて７ｍｍ〜２５ｍｍほど長くなり、初心者に持ちやすい間隔を形成できる。
【発明の効果】
【００１４】
本発明によれば、弓のサムグリップに装着することで、奏者は親指の先端を中指と薬指の間に位置させた状態で、サムグリップのあたりを中指と薬指と共に挟み込んで支持でき、かつ、このときに人差し指から小指までが自然なカーブを描いた状態となるので、初心者でも安定して弓を支持でき、正しい運弓の練習ができる。
【図面の簡単な説明】
【００１５】
【図１】運弓補助具の平面図である。
【図２】運弓補助具の底面図である。
【図３】運弓補助具の側面図である。
【図４】運弓補助具の正面図である。
【図５】運弓補助具の図１におけるＡＡ線断面図である。
【図６】運弓補助具の図１におけるＢＢ線断面図である。
【図７】運弓補助具を装着する弓の一部を示す平面図である。
【図８】運弓補助具の変形例を示す図である。
【図９】運弓補助具の変形例を示す図である。
【図１０】運弓補助具の変形例を示す図である。
【図１１】運弓補助具の変形例を示す図である。
【図１２】運弓補助具を装着した状態の弓を手で持った状態を正面側から見た図である。
【図１３】他の実施例にかかる運弓補助具の平面図である。
【図１４】同実施例にかかる運弓補助具の底面図である。
【図１５】同運弓補助具の右側面図である。
【図１６】同運弓補助具の左側面図である。
【図１７】同運弓補助具の正面図である。
【図１８】同運弓補助具を弓に装着した状態の底面図である。
【発明を実施するための形態】
【００１６】
以下、図面にもとづいて本発明の実施形態を説明する。
図１は、運弓補助具を平面図により示しており、図２は底面図により示しており、図３は、側面図により示しており、図４は、正面図により示している。
また、図５は、図１におけるＡＡ線断面図により示しており、図６は、図１におけるＢＢ線断面図により示しており、図７は、運弓補助具を装着する弓の一部を平面図により示している。
【００１７】
図３に示すように、本運弓補助具は側面から見ると断面Ｕ字形状となった本体１０によって構成されている。本体１０は、第１の部位１１と、連結部位１２と、第２の部位１３とを備え、各部位が連結して全体としてＵ字形状となっている。なお、本体１０は、全体として鞍型となっているとも言える。
弦楽器のチェロ弓やコントラバス弓（以下単に弓と呼ぶ）のスティックＳは、先端をヘッドと呼び、後端をアジャスターＡと呼ぶ。本体１０をＵ字形状とすることで、第１の部位１１と第２の部位１３とでスティックＳを挟み込むようにして装着可能である。円柱状のスティックＳに対して装着しやすいように、第１の部位１１と第２の部位１３と連結部位１２の内側の面は円筒の内周面に近い形状となっている。このように、第１の部位１１と第２の部位１３を連結し、スティックＳに沿って接するとともに内周面が円筒面状の連結部位１２を有している。
なお、第１の部位１１と第２の部位１３とでスティックＳを挟み込むようにして装着するときに、第１の部位１１と第２の部位１３における内周面は、フロッグの形状や弦の位置、サムグリップの大きさなどに合わせて、適宜凹部を形成し、装着時に本体１０が移動しないようにすることができる。
【００１８】
本体１０は、図７に示す一点鎖線で囲んでいる場所に装着する。
スティックＳにフロッグＦが接する部位からサムグリップＧにかけての位置に装着する。サムグリップＧよりもヘッドの側にはラッピングＷが形成されている。
第１の部位１１と第２の部位１３と連結部位１２とは一体的に形成されているので、明確に各部位を分離することはできない。スティックＳを挟持して保持するため、第１の部位１１と第２の部位１３とで挟持しているともいえるが、第１の部位１１と第２の部位１３と連結部位１２とでスティックＳを挟持しているともいえる。いずれにしても、装着した状態で演奏するため、スティックＳと一体化してずれたり、がたつかないように形成してある。なお、本体１０は全体的に弾性を有する素材で形成してある。本体１０は弾性を有しているので、第１の部位１１と第２の部位と１３を撓ませて間隔を広げ、内側に棒状のスティックＳをはめ込むことができる。なお、第１の部位１１と第２の部位１３と連結部位１２は、必ずしも一体的に形成されている必要はなく、それぞれを別体として組み立てるようにしてもよい。
【００１９】
本体１０をスティックＳに装着する状態を想定すると、本体１０はスティックＳ方向において所定の長さＬ１を有する。第１の部位１１は、演奏時に親指が当接する部位であり、第２の部位１３は、中指と薬指を乗せる部位となる。親指はスティックＳを挟んで中指と薬指の間に位置することで、スティックＳを挟み込んで保持する。従って、親指は中指よりもヘッドの側にあってはならないし、また、薬指よりもアジャスターＡの側であってもならない。
【００２０】
このため、中指と薬指を乗せる第２の部位は、指２本が載せられる程度の長さを有するものとし、指３本を載せられるほど大きくもなく、指１本しか載せられないほど小さくもない。本実施例では、本体１０の長さＬ１は３０ｍｍ〜５０ｍｍの範囲としている。この範囲内であれば、子供用に小さなものとしても良いし、大人用に大きなものとしても良い。この範囲の大きさであれば、適宜用途に応じて長さＬ１を変更することが可能である。
【００２１】
第２の部位１３は、中指と薬指だけを乗せ、人差し指と小指を乗せない。このため、人差し指から小指までを直線的にスティックＳに沿わせて並べる必要がない。また、外側が低く、内側が高い状態になるので、手のひらにボールを置くようになり、なじみがよい。すなわち、隆起は現状では低い山型で、持った時に自然と中指と薬指が弓の持ち方に理想的に離れる感じになる。
Ｌ１の長さの好適な一例として、３０ｍｍ〜３５ｍｍの範囲とすることができる。これよりも小さいと、中指と薬指の２本を乗せづらくなる。中指と薬指の２本を乗せづらくなると、自ずからどちらかの指が主体となって保持することになる。しかし、このようにすると後述するように運弓の際に人差し指か小指でバランスを取るときに偏りが生じる。Ｌ１の長さが３０ｍｍ〜３５ｍｍであると、概ね中指と薬指の２本の間にわずかに隙間を開けて乗せることができる。第２の部位１３は山型に隆起しているので、中指と薬指の間に隙間を空けやすくなる。さらに、人差し指と小指は自然な状態で第２の部位１３を間に挟むようにしてスティックＳに接することができる。
Ｌ１の長さの好適な一例として、３５ｍｍ〜４０ｍｍの範囲とすることができる。この場合は、中指と薬指の間にさらに余裕ができるため、親指と共に３点でスティックＳを挟むときに、より安定しやすくなる。また、人差し指や小指も無理なく第２の部位１３を挟んでスティックＳに接することができる。
Ｌ１の長さの好適な一例として、４０ｍｍ〜５０ｍｍの範囲とすることができる。指の太さは、演奏者各人によって異なり、太めの人の場合はこの範囲が好ましい場合もある。また、人差し指と小指の間を無理のない範囲で広げることで、スティックＳに対して長い範囲で接し、安定して支持することができる。
このように中指と薬指だけがのる大きさとしていると、重心が人差し指から小指の間のほぼ中央に位置する。従来のものは重心が中央になく、片方に偏っていたため、運弓の練習には好ましくない。
第２の部位１３は、ボールのように持ちやすくさせるだけではなく、運弓の際のバランスをとりやすい。
【００２２】
中指と薬指を乗せる第２の部位１３の表面における連結部位１２に近い部分１３ａは中程でもっとも隆起し、スティックＳの前後方向で隆起が下がるようななだらかな山型の形状となっている。中央部分がもっとも隆起しているので、中指と薬指を乗せれば本体１０を前後から挟むかたちとなり、本体１０から指が外れにくい。一方、中第２の部位１３の表面における連結部位１２から遠い部分には浅い凹み１３ｂ，１３ｃを形成してあり、中指と薬指の腹が凹み１３ｂ，１３ｃに軽く入ることでずれにくくしている。
本実施例においては、第１の部位１１と、第２の部位１３のそれぞれにおける、連結部位１２と反対側の端部は、間隔をあけてある。しかし、連結部位１２と反対側の端部同士をほぼ接する程度に相手側に突き出るような形状とすることも可能である。この場合、上部の第１の部位１１と下部の第２の部位と、連結部位１２とで弓をほとんど挟んでしまうような形となる。このようにすれば、弓がすり落ちてしまわないようにすることができる。
【００２３】
図８〜図１１は、運弓補助具の変形例を示している。
図８は、中指と薬指の腹側が当接する部位をへこませた変形例である。
本体２０における第２の部位２３の上面には、中指と薬指の腹側が当接する部位に円錐形状の凹み２３ａ，２３ｂを形成してある。円錐形の頂角は例えば１６０度くらいというように、浅い傾斜とすれば良い。むろん凹み２３ａ，２３ｂの外形が円形である必要はなく、四角形や、多角形などでも良い。凹み２３ａ，２３ｂの断面形状は球面状であっても構わない。このように、第２の部位２３には、スティックＳに装着したときにスティックＳの長さ方向に沿って二つの凹み２３ａ，２３ｂが形成されている。
【００２４】
図９は、中指と薬指が乗る場所を前後に区切るように隔壁を形成した変形例である。
すなわち、山型の中指と薬指を隔てる隆起を高くする一例である。
本体３０における第２の部位３３の上面には、スティックＳの長さ方向におけるほぼ中央には、第２の部位３３の上面を前後方向に区切る隆起３３ａが形成されている。隆起３３ａの高さは低いものでよく、例えば２ｍｍ程度でもよい。
このように、第２の部位３３は、スティックＳに装着したときにスティックＳの長さ方向に沿って二つに区画する隆起３３ａが中央に形成されている。
【００２５】
正しく音を出すための必須条件のひとつとして、弓と弦は常に９０度を保っていなければならない。しかし、多くの場合は、弓先が下がり、親指が弓の毛と弓の木の間に入り込み、右手は弦上の弓のバランスを助けることなく、弓を強く握りしめ、弓のバランス点から中央付近の10cmから15cmほどしか運弓できなくなる。
弓が弦上に設置された時、弓の先と弓の元では、弦の上でバランス点を挟んで左右の重量が変わる。バランス点に置いて弓を持つ右手は、親指と人差し指と小指の大きな三点を均等に使っている。弓先に向かうにつれ、徐々に弦と弓の設置点を１点とし、それに親指と人差し指の２点を加えた３点でバランスを保つ必要がある。また、弓元に向かうにつれ反対方向に徐々に弦と弓の設置点を１点とし、それに親指と小指の２点を加えた３点によってバランスを保つ必要がある。
【００２６】
このように、運弓においては、演奏状態に応じて、人差し指と小指を使ってバランスを取る感覚がとても大事である。本発明では、人差し指と小指については、本体１０に乗せず、直にスティックＳに触れるようになっている。従って、この補助器具を使うことによって、各指を正しく弓に設置する事ができるため、『弓の手のバランス』を正しく理解する事が容易になる。
【００２７】
図２，図５，図６に示すように、第１の部位１１におけるスティックＳに接する側と反対の側の表面には、奏者の親指に対応する凹み１１ａを設けてある。凹み１１ａの形状は、弓に装着したときに、ヘッドの側からアジャスタの側に向かうように親指を曲げ、親指の爪の側からこの凹み１１ａに挿入する。親指は爪先側が凹み１１ａの奥に突き当たる。すなわち、この第１の部位１１の凹み１１ａは、スティックＳに装着したときにすり鉢状に奥に向かって徐々に深くなる形状となっている。このようにすることで、右手親指の爪が凹み１１ａの右側の一番奥のあたりに突き刺さり、親指の爪の表面はほぼ弓に並行するという理想的な形になる。なお、親指の凹み１１ａに沿って、親指の凹み１１ａの裏側である内面部分は盛り上がる形状となっている。
図１０と図１１は、第１の部位を変形させた例を示している。
図１０は、正面から見た状態を示しており、図１１は斜視図により示している。
同図に示すように、第１の部位１１において、親指の凹み１１ｂの辺りの内側を、より盛り上げた形状としている。第１の部位１１が内側に盛り上がっているため、第２の部位１３と対面した状態では、弓をほとんど挟んでしまうような形となっている。
このようにすることで、弓をより安全にすり落ちないようにすることができる。
【００２８】
図１２は、運弓補助具を装着した状態の弓を手で持った状態を正面側により示している。
第２の部位１３の厚みＬ２は、表面がなだらかな山形を形成しているものの、１０ｍｍ程度としてある。一方、第１の部位１１の実質的な厚みは、凹み１１ａの奥からスティックＳまでの深さＬ４が相当し、３ｍｍ〜５ｍｍ程度としてある。このようにすると、スティックＳが１０ｍｍ程度であれば、親指の爪の先から中指や薬指の腹までの距離Ｌ５は、２３ｍｍ〜２５ｍｍ程度となる。一例として、チェロ用として作成したものは、Ｌ５は２５mmとなり, コントラバス用として作成したものは、Ｌ５が３０mmであった。
【００２９】
この運弓補助具がない場合、初心者は１０ｍｍ程度の厚みのスティックＳを挟持しなければならない。しかし、実際には１０ｍｍ程度の厚みを親指と中指と薬指で挟持するのは難しい。これに対して挟持する対象の厚みが２５ｍｍ程度確保できるとすると、初心者が弓を持つ難しさを和らげることができる。
第２の部位１３の厚みＬ２は、１０ｍｍ程度を含む、５ｍｍ〜１５ｍｍの範囲が好適である。また、第１の部位１１の凹み１１ａの底からスティックＳの表面までの距離Ｌ４は、本実施例の３ｍｍ〜５ｍｍの範囲を含む、２ｍｍ〜１０ｍｍの範囲が好適である。第１の部位１１の厚みＬ３は、距離Ｌ４の２ｍｍ〜１０ｍｍを考慮して、１０ｍｍ〜１５ｍｍの範囲が好適である。
【００３０】
運弓の基本は『動き』である。発音するためには、弓は常に弦の上を左右に行き来しなければならない。そのためには弓の手が常に脱力されていることが要求される。
左手による音程と指使いとリズムなどとコーディネートしながら、右手を脱力することは難しい。そして、弓の右手が硬直すると、右前腕、二の腕、肩、背中などが固くなり、遂には左手の動きに影響を及ぼす。この器具によって弓の手を補助すると、弓の手に生じる硬直を防止し、脱力しやすくなる。この結果、右手の側から左手の側に及ぼしていた悪影響を防止し、上達を促すことができる。
【００３１】
初心者にとって、１０ｍｍ程度の厚みのスティックＳを挟持すると脱力することが難しいが、上述したように２０〜２５ｍｍ程度の厚みになると比較的挟持しやすくなる。挟持しやすくなると、自ずから過度の力を掛ける必要がなくなり、脱力もしやすい。従って、本運弓補助具を用いることで上達を促すことが可能になる。
本発明者は、当初、チェロやコントラバスの練習の補助として運弓補助具を開発した。しかし、開発したものをヴァイオリンやビオラにも試したところ、本発明を適用できることが分かり、運弓の補助具として好適であった。むろん、ヴァイオリンやビオラに適用したものの大きさは本発明の運弓補助具の大きさである。
本発明者は、第１の部位１１と第２の部位１３における連結部位１２とは反対側の端部付近（開口端側と呼ぶ）の形状について、いくつかの変形例を作成してみた。いくつかの試作例によると、開口端側で、第１の部位１１と第２の部位１３とが近接してほぼ接する形状は、好適であった。すなわち、開口端側で、第１の部位１１と第２の部位１３とが近接することで、弓をほとんど挟んでしまう状態となるものは、初心者等にとって練習のしやすさを体感できた。また、演奏者にとって弓の落下防止に役だった。この場合も、弦の側から見たときは図１２に示すものとほぼ同じ状態である。
図１３〜図１８は、本発明にかかる運弓補助具をより具現化した一実施例を示している。
図１３は同運弓補助具を平面図により示しており、図１４は底面図により示しており、図１５は右側面図により示しており、図１６は左側面図により示しており、図１７は正面図により示しており、図１８は底面図により示している。
本実施例は図１〜図７に示す実施例とは別の実施例であるが、理解を容易にするため、各図面において対応する部材は同じ符号が付されている。本実施例では、運弓補助具の外形は先の実施例と比較して若干変化しているが、基本的な外形形状は共通する。また、同運弓補助具の内部は肉抜きを多用することで軽量化しているが、特許請求の範囲に記載する外形を維持する上で必要となる強度は維持されている。なお、内部の肉抜き構造は一例に過ぎず、多様な変形例が実施可能である。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３３】
１０…本体、１１…第１の部位、１１ａ，１１ｂ…凹み、１２…連結部位、１３…第２の部位、１３ａ…隆起、１３ｂ，１３ｃ…凹み、２０…本体、２３…第２の部位、２３ａ…凹み、３０…本体、３３…第２の部位、３３ａ…隆起。 
【図１】
2020134923.tif 000003
【図２】
2020134923.tif 000004
【図３】
2020134923.tif 000005
【図４】
2020134923.tif 000006
【図５】
2020134923.tif 000007
【図６】
2020134923.tif 000008
【図７】
2020134923.tif 000009
【図８】
2020134923.tif 000010
【図９】
2020134923.tif 000011
【図１０】
2020134923.tif 000012
【図１１】
2020134923.tif 000013
【図１２】
2020134923.tif 000014
【図１３】
2020134923.tif 000015
【図１４】
2020134923.tif 000016
【図１５】
2020134923.tif 000017
【図１６】
2020134923.tif 000018
【図１７】
2020134923.tif 000019
【図１８】
2020134923.tif 000020